(57)【要約】【課題】単純な構成で高い清掃能力及び除菌能力を有するベルト清掃除菌装置及びベルト清掃除菌方法を提供する。【解決手段】ベルト清掃除菌装置２０は所定の搬送路に沿って移動するコンベア装置１０の搬送ベルト１３を清掃するベルト清掃除菌装置であって、前記搬送ベルト１３に流体を供給する流体供給部３０と、前記流体供給部３０よりも前記搬送路の下流側に設けられ、前記搬送ベルト１３に当接するスクレーパ４１を有する削り部４０と、前記削り部４０よりも前記搬送路の下流側に設けられ、前記搬送ベルト１３に当接する拭取ベルト５４を有する拭取部５０と、を備える。【選択図】図１
2010222081.tif 000002
【特許請求の範囲】
【請求項１】
所定の搬送路に沿って移動するコンベア装置のベルトを清掃するベルト清掃除菌装置であって、
前記ベルトに流体を供給する流体供給部と、
前記流体供給部よりも前記搬送路の下流側に設けられ、前記ベルトに当接するスクレーパを有する削り部と、
前記削り部よりも前記搬送路の下流側に設けられ、前記ベルトに当接する拭取材を有する拭取部と、を備えたことを特徴とするベルト清掃除菌装置。
【請求項２】
前記ベルトは上側に往路を構成し下側に復路を構成する無端ベルトであり、
前記流体の供給、前記スクレーパの当接、及び前記拭取材の当接は、下側の前記復路に配される前記ベルトの下側の面に対してなされることを特徴とする請求項１記載のベルト清掃除菌装置。
【請求項３】
前記スクレーパ及び前記拭取材と前記ベルトとの当接部分の上流側または下流側において、前記復路に配されるベルトの上面に載置されることにより、前記ベルトを前記スクレーパ及び前記拭取材に対して付勢する押さえ部が設けられたことを特徴とする請求項２記載のベルト清掃除菌装置。
【請求項４】
前記削り部は、前記流体供給部の前記搬送路の下流側において前記ベルトの下面に当接する第１のスクレーパと、前記第１スクレーパより前記搬送路の下流側に設けられ前記ベルトの下面に当接する第２スクレーパと、を備え、
前記第１のスクレーパの前記ベルトの搬送方向に対する角度が、前記第２スクレーパの前記ベルトの搬送方向に対する角度よりも、小さいことを特徴とする請求項１記載のベルト清掃除菌装置。
【請求項５】
所定の搬送路に沿って移動するコンベア装置のベルトを清掃するベルト清掃除菌方法であって、
前記ベルトに流体を供給する流体供給工程と、
流体供給工程よりも下流側において、前記ベルトにスクレーパを当接させる削り工程と、
削り工程よりも下流側において、前記ベルトに拭取材を当接させる拭取工程と、を備えたことを特徴とするベルト清掃除菌方法。
【発明の詳細な説明】
【技術分野】
【０００１】
本発明はベルト清掃除菌装置及びベルト清掃除菌方法に係り、特にコンベア装置の搬送ベルトを清掃するものに関する。
【背景技術】
【０００２】
例えば食品の製造処理工程に用いられ、食品等の搬送対象物を搬送するコンベア装置が知られている。このようなコンベア装置において、搬送方向両端に回転可能な搬送ローラを備え、この搬送ローラ間に無端の搬送ベルトを掛け渡したものが知られている。この種のコンベア装置では、載置される食品等が搬送ベルトの表面に付着する場合がある。搬送ベルトを清掃する方法として、一般的には、搬送ベルトを搬送装置から手動で取り外して洗浄する方法が用いられている。また、搬送ベルトの清掃作業を容易にするために、搬送路上で搬送ベルトの表面に当接して汚れをかき落とすスクレーパや回転ブラシ等の清掃部を設けたベルト清掃除菌装置が提供されている（例えば、特許文献１または特許文献２参照）。また、スクレーパや回転ブラシなどの清掃部と搬送ベルトとの当接部分に洗浄用の流体を供給して洗浄能力を高める技術も知られている（例えば、特許文献２参照）。
【先行技術文献】
【特許文献】
【０００３】
【特許文献１】特開２００４−３２３９５８号公報
【特許文献２】実開平５−６１１１８号公報
【発明の概要】
【発明が解決しようとする課題】
【０００４】
しかしながら、上記技術では、以下の課題がある。すなわち、流体を供給してスクレーパや回転ブラシで汚れをかき落とすだけの清掃装置では、小さな汚れや流体を完全に除去することは難しく、流体とともに汚れや菌が搬送ベルトの表面上に残ってしまう。このため清掃能力及び除菌能力に欠けるという問題がある。このため、特に食品等の厳しい衛生環境が要求される対象には適用することができない。
【０００５】
そこで、本発明は、単純な構成で高い清掃能力及び除菌能力を有するベルト清掃除菌装置及びベルト清掃除菌方法を提供することを目的とする。
【課題を解決するための手段】
【０００６】
本発明の一態様は、所定の搬送路に沿って移動するコンベア装置のベルトを清掃するベルト清掃除菌装置であって、前記ベルトに流体を供給する流体供給部と、前記流体供給部よりも前記搬送路の下流側に設けられ、前記ベルトに当接するスクレーパを有する削り部と、前記削り部よりも前記搬送路の下流側に設けられ、前記ベルトに当接する拭取材を有する拭取部と、を備えたことを特徴とするベルト清掃除菌装置に存する。
【発明の効果】
【０００７】
本発明によれば、単純な構成で高い清掃能力及び除菌能力を有するベルト清掃除菌装置及びベルト清掃除菌方法を提供することが可能となる。
【図面の簡単な説明】
【０００８】
【図１】本発明の第１実施形態に係るベルト清掃除菌装置を示す斜視図。
【図２】同ベルト清掃除菌装置を示す側面図。
【図３】同ベルト清掃除菌装置を示す平面図。
【図４】同ベルト清掃除菌装置を示す説明図。
【図５】同ベルト清掃除菌装置における衛生指標菌の残存値を示すグラフ。
【図６】本発明の他の実施形態にかかるベルト清掃除菌装置を示す説明図。
【図７】同ベルト清掃除菌装置の脱着工程を示す説明図。
【発明を実施するための形態】
【０００９】
以下、本発明の第１実施形態について、図１乃至図４を参照して説明する。図１は、本実施形態に係るコンベア装置１０及びベルト清掃除菌装置２０を示す斜視図であり、図２は側面図、図３は平面図、図４は断面を示す説明図である。図中矢印Ｘ，Ｙ，Ｚはそれぞれ互いに直交する３方向を示す。また、各図において説明のため、適宜構成を拡大、縮小または省略して示している。
【００１０】
ベルト清掃除菌装置２０は、稼働中のコンベア装置１０の搬送ベルト１３の表面に付く残渣等の汚染物（付着物）１７ａを自動的に除菌・清掃する装置であり、稼働中のコンベア装置１０に着脱可能に構成されている。
【００１１】
図１に示すように、コンベア装置１０は、両端に設けられた搬送ローラ１１，１２の間に無端の搬送ベルト１３が掛け渡されて構成されている。搬送ベルト１３は、所定の長さ（Ｘ方向）及び幅（Ｙ方向）を有する細長いシートがループ状に構成されてなる。搬送ベルト１３は、例えばゴム、樹脂、あるいは樹脂コーティングがされた繊維材から構成される。ここでは一例として幅２５０ｍｍ、長さ６ｍの搬送ベルト１３を例示する。搬送ローラ１１，１２が搬送ベルト１３の幅方向であるＹ方向に沿う回転軸を中心に回転運動すると、搬送ベルト１３が図中Ｘ方向に沿う搬送方向に搬送される。
【００１２】
搬送路の上側はＸ方向（水平方向）に沿って一端側から他端側に向かって移動する往路１４を構成する。搬送路の下側は、他端側から一端側に向かって戻る復路１５を構成する。
【００１３】
搬送ベルト１３の表面は、上側の往路１４においては上面１３ａとなり、下側の復路１５においては下面１３ｂとなる。往路１４において、搬送ベルト１３の上面１３ａ（表面）に食品等の搬送対象物１７が載置された状態で送られることにより搬送対象物１７が一端側から他端側へ送られる。
【００１４】
ベルト清掃除菌装置２０は、コンベア装置１０に着脱可能に設けられている。ベルト清掃除菌装置２０は、搬送ベルト１３を清掃する清掃ユニット２１と、清掃ユニット２１を固定する支持部２２と、を備えて構成される。
【００１５】
清掃ユニット２１は、搬送ベルト１３の下面１３ｂ側に設けられ、流体供給部３０、削り部４０、拭取部５０及び収集部６０を備えている。流体供給部３０、削り部４０、拭取部５０は、復路１５の上流側から下流側に向かって順番に配列されている。
【００１６】
図１乃至図４に示すように、支持部２２は、復路１５に配設された下側の搬送ベルト１３の上面（裏面）１３ｃに載置される複数の押圧ローラ２３と、押圧ローラ２３を位置決めする支持フレーム２４と、を備えている。なお、図３では、上方の往路１４に配される搬送ベルト１３を切欠して省略し、復路１５を上方から見た様子を示している。図１においては支持フレーム２４を省略して示している。
【００１７】
支持フレーム２４は、例えばステンレスからなり、コンベア装置１０の両側に沿って設けられる板状を成し、上下方向（Ｚ方向）に延びる複数のガイド溝２４ａを備えている。このガイド溝２４ａに各押圧ローラ２３の端部の係合部２３ａがそれぞれ係合することにより、押圧ローラ２３が上下に移動可能に支持される。すなわち、この支持フレーム２４によって、押さえ部としての押圧ローラ２３の移動方向が案内される。
【００１８】
押圧ローラ２３は、軸心が幅方向に沿って延びる円柱状を成し、長手方向両端に係合部２３ａを備えている。押圧ローラ２３は、Ｙ方向において、搬送ベルト１３の幅寸法と同程度あるいは搬送ベルト１３よりも大きく形成され、所定の重量を有している。
【００１９】
押圧ローラ２３は、第１スクレーパ４３の搬送方向両側と、当接ローラ５２の搬送方向両側にそれぞれ配置されている。
【００２０】
また、押圧ローラ２３は、図４において矢印で示すように、幅方向一方側と他方側において高さが異なるように傾斜可能となるように余裕を持ってガイド溝２４ａに支持されている。
【００２１】
これら複数の押圧ローラ２３は、それぞれ搬送ベルト１３の裏面、すなわち復路の１５上面１３ｃに載置されることにより、表面側の清掃ユニット２１の要素である第１スクレーパ４３、第２スクレーパ４５、及び当接ローラ５２と、自律的にバランスを取る自己制御性を有する。
【００２２】
押圧ローラ２３は、搬送ベルト１３の反対側の要素（第１スクレーパ４３、第２スクレーパ４５、当接ローラ５２）の搬送ベルト１３に対する作用点に対して同一軸上ではなく、異なる位置に配置されている。すなわち、押圧ローラ２３と、第１スクレーパ４３、第２スクレーパ４５、及び当接ローラ５２とが、搬送路に沿って搬送ベルト１３の表裏に交互に配置されていることにより、搬送ベルト１３の全長にわたって均一かつ適当な負荷及び張力がかかるため、安定した接触が可能となる。
【００２３】
押圧ローラ２３はガイド溝２４ａに嵌めるだけの簡単な構成であるため、環境に応じてローラの重さを変更することにより負荷を調節することができる。
【００２４】
流体供給部３０は、搬送ベルト１３の下方に設置され流体としてのアルコール液剤を収容するタンク部３１と、タンク部３１内に連通し上方に向かって延びるホース部３２と、ホース部３２の先端に連結され搬送ベルト１３の下面に対向するノズル３３と、を備えて構成されている。流体供給部３０は、タンク部３１内に収容されたアルコール液剤を細かい霧状にしてノズル３３の先端から搬送ベルト１３の下面１３ｂに向かって噴射する。アルコール液剤は、例えば除菌用の添加物を含有する専用の薬剤である。
【００２５】
ノズル３３は、上流側から下流側に向かって上方に傾くように傾斜するとともに搬送ベルト１３の下面１３ｂに対向するように設置されている。したがって、アルコール液剤は下流側に排された第１スクレーパ４３の方向に向けて噴射される。
【００２６】
削り部４０は、搬送方向に沿って設けられる第１削り部４１と第２削り部４２の２つの削り部を有している。
【００２７】
第１削り部４１は、その先端が搬送ベルト１３の下面１３ｂに当接する第１スクレーパ４３と、この第１スクレーパ４３の下方に延び、除去された汚染物１７ａ及びアルコール液剤を下方の収集部６０に案内する第１ガイドプレート４４とを備えている。
【００２８】
第１スクレーパ４３は、シリコン樹脂等からなり、搬送ベルト１３と同等あるいはこれより大きい所定の幅（Ｙ方向）寸法を有するプレート形状をなしている。第１スクレーパ４３の先端４３ａはその角度θ１が約３５度となるように鋭利に構成されている。第１スクレーパ４３は、搬送方向（ここでは水平方向）に対して３５度の角度に傾くように設置されている。すなわち、先端４３ａの上面は搬送方向（Ｘ方向）に沿うように設置されている。
【００２９】
なお、第１スクレーパ４３は所定の角度で固定され、押圧ローラ２３の自重によって搬送ベルト１３に相対的に付勢されて当接部４３ｂにおいて当接している。搬送ベルト１３の搬送移動によって、第１スクレーパ４３の先端４３ａが、搬送ベルト１３の下面１３ｂと、この下面１３ｂに付着した残渣などの汚染物１７ａとの間に入り込む。さらに、汚染物１７ａのみが第１スクレーパ４３に引っかかった状態で、搬送ベルト１３のみがさらに相対的に下流側に移動することにより、搬送ベルト１３の下面１３ｂから汚染物１７ａが削ぎ落とされて除去される。
【００３０】
第１ガイドプレート４４は第１スクレーパ４３の基端から上流側かつ下方に傾斜する面を有している。第１スクレーパ４３により搬送ベルト１３表面から除去された流体と汚染物１７ａとが、このガイドプレート４４の表面に沿って下方の収集部６０に集められる。
【００３１】
第２削り部４２は、その先端が搬送ベルト１３の下面１３ｂに当接する第２スクレーパ４５と、この第２スクレーパ４５の下方に延び、除去された汚染物及び流体を下方の収集部６０に案内する第１ガイドプレート４６とを備えている。
【００３２】
第２スクレーパ４５は、シリコン樹脂等からなり、搬送ベルト１３と同等あるいはこれより大きい所定の幅（Ｙ方向）寸法を有するプレート形状をなしている。第２スクレーパ４５の先端４５ａはその角度θ２が約４５度となるように鋭利に構成されている。第２スクレーパ４５は、搬送方向（ここでは水平方向）に対して４５度の角度に傾くように設置されている。すなわち、先端４５ａの上面は搬送方向（Ｘ方向）に沿うように設置されている。
【００３３】
なお、第２スクレーパ４５は所定の角度で固定され、押圧ローラ２３の自重によって搬送ベルト１３に相対的に付勢されて当接部４５ｂにおいて当接している。搬送ベルト１３の搬送移動によって、第１スクレーパ４５の先端４５ａが、搬送ベルト１３の下面１３ｂと、この下面１３ｂに付着した残渣などの汚染物１７ａとの間に入り込む。さらに、汚染物１７ａのみが第２スクレーパ４５に引っかかった状態で、搬送ベルト１３のみがさらに相対的に下流側に移動することにより、搬送ベルト１３の下面１３ｂから汚染物１７ａが削ぎ落とされて除去される。
【００３４】
第２ガイドプレート４６は第２スクレーパ４５の基端から上流側かつ下方に傾斜する面を有している。第２スクレーパ４５により搬送ベルト１３表面から除去された流体と汚染物１７ａとが、このガイドプレート４６の表面に沿って下方の収集部６０に集められる。
【００３５】
２つのスクレーパ４３，４５は互いに異なる角度に設置されており、また、上流側の第１スクレーパ４３が下流側の第２スクレーパ４５よりも鋭角である。この２段階の削り部４１，４２により確実に汚染物１７ａを除去することが可能となる。
【００３６】
拭取部５０は、それぞれ軸心がＹ方向に延びる円柱状の供給ローラ５１、当接ローラ５２、及び巻取ローラ５３を備えるとともに、これらのローラ間に拭取材としての拭取ベルト５４が張り渡されて構成されている。
【００３７】
拭取ベルト５４は、搬送ベルト１３と同等あるいはそれ以上の所定の幅を有し、例えばメッシュ状の不織布からなる細長い帯状の繊維部材である。この拭取ベルト５４の一端側が供給ローラ５１に巻きつけられ、中央部分が当接ローラ５２の上側を通って、他端側が巻取ローラ５３に巻きつけられている。当接ローラ５２の上側の外周を通る部分が搬送ベルト１３の下面１３ｂに当接する当接部５４ａとなる。
【００３８】
供給ローラ５１、当接ローラ５２、及び巻取ローラ５３を所定の速度で回転させることにより、拭取ベルト５４が搬送ベルト１３の表面に押圧付勢されて当接しながら送られる。
【００３９】
当接ローラ５２の上流側及び下流側の近傍には押圧ローラ２３が設けられている。すなわち、押圧ローラ２３の自重により、搬送ベルト１３が当接ローラ５２に向かって付勢され、所定長さの当接部５４ａが確保されている。
【００４０】
搬送ベルト１３及び拭取ベルト５４の送り移動に伴って、搬送ベルト１３の表面のアルコール液剤とともに汚染物１７ａが拭取ベルト５４によって拭き取られる。
【００４１】
収集部６０は、上部に開口を有する箱形状をなし、着脱可能に設置されている。この収集部６０内に、スクレーパ４３，４５等の削り部４０及びノズル３３が配置されている。削り部４０でかき落とされた汚染物１７ａや流体が、収集部６０内に集められる。この収集部６０に流体と汚染物１７ａが溜まることにより汚染区域を他の領域から隔離している。清掃の際には、収集部６０のみを取り外して洗浄あるいは交換できる構造になっている。
【００４２】
以下、本実施形態にかかるベルト清掃除菌装置２０によるベルト清掃除菌方法について説明する。
【００４３】
図１に示すように、コンベア装置１０の搬送ローラ１１，１２が矢印で示す時計回りに回転すると、搬送ベルト１３は、復路１５をＸ方向に沿う搬送方向に他端側から一端側に向かって移動する。上方の往路１４において食品等が載置されていた搬送ベルト１３の上面１３ａ（表面）は、下方の復路１５においては下面１３ｂに位置する。
【００４４】
まず、搬送ベルト１３が供給部３０を通る際に、この搬送ベルト１３の下面１３ｂに向かってノズル３３部よりアルコール液剤が噴霧される（流体供給工程）。この噴霧工程により除菌の下地が作られる。
【００４５】
さらに、搬送ベルト１３が下流側に進むと、図２に示すように、第１スクレーパ４３の先端により搬送ベルト１３の下面１３ｂに付着していた残渣等の汚染物１７ａが削り取られて除去される（第１削り工程）。ここでは第１スクレーパ４３が約３５度の傾斜角で当接し、搬送ベルト１３の移動に伴って汚れがかき取られる。除去された汚染物１７ａは、第１ガイドプレート４４によって収集部６０に集められる。
【００４６】
このとき、図４に示すように上下移動及び傾斜可能に設置された押圧ローラ２３の重力により、当接部４３ｂで適当な負荷が維持される。このため、搬送ベルト１３が第１スクレーパ４３の先端に沿って変形しながら適度な圧力で当接するので、効率よく汚染物１７ａを除去することが出来る。
【００４７】
図２に示すように、さらに搬送ベルト１３が下流側に進むと、第２スクレーパ４５の先端４５ａにより搬送ベルト１３の下面１３ｂに残っている汚染物１７ａが削り取られて除去される（第２削り工程）。除去された汚染物１７ａは、第２ガイドプレート４６によって収集部６０に集められる。
【００４８】
このとき、押圧ローラ２３により、上下移動及び傾斜可能に設置された押圧ローラ２３の重力により、当接部４３ｂで適当な負荷が維持される。このため、搬送ベルト１３が第２スクレーパ４５の先端に沿って変形しながら適度な圧力で当接するので、効率よく、汚染物１７ａを除去することが出来る。
【００４９】
第１スクレーパ４３と第２スクレーパ４５は、先端の角度がそれぞれ異なり、進入角も異なっている。搬送路に対して小さな角度で進入する第１スクレーパ４３で取れなかった汚染物も、これより大きい角度で進入する第２スクレーパ４５により確実に除去することが出来る。したがって、様々な大きさ、形状、粘性の汚染物１７ａに幅広く対応できる。また、押圧ローラ２３は所定の抵抗が加わると上下に移動可能に設置されているため、汚れや変形等があった場合には負荷がかかりすぎることを防止することが出来、適度な張力と適度な押圧力を保つことができる。
【００５０】
さらに第２削り部４２の下流側において、供給ローラ５１、当接ローラ５２、及び巻取ローラ５３を所定の速度で矢印で示す時計回りに回転させることにより、拭取ベルト５４が搬送ベルト１３の表面に押圧付勢されて当接しながら復路１５の搬送ベルト１３と逆方向に送られる。
【００５１】
当接ローラ５２の上流側及び下流側の近傍には押圧ローラ２３が設けられている。すなわち、押圧ローラ２３の自重により、搬送ベルト１３が当接ローラ５２に向かって付勢され、所定長さの当接部５４ａが確保されている。
【００５２】
このため、搬送ベルト１３及び拭取ベルト５４の送り移動に伴って、搬送ベルト１３の表面のアルコール液剤とともに残った微量の汚染物１７ａが拭取ベルト５４によって拭き取られる（拭取工程）。このとき、拭取ベルト５４が移動することにより、搬送ベルト１３との当接部５４ａは常に汚染されていない新しい拭取ベルト５４が供給されることになる。この拭取工程により、搬送ベルト１３の表面１３ｂに残る微量の汚染物も確実に除去することができ、高い除菌効果が得られる。
【００５３】
以上により、搬送対象物１７を搬送する往路１４などにおいて搬送ベルト１３に付着した汚染物１７ａが、復路１４において４段階の処理によって清掃・除菌される。  
図５において、食材汚染させた搬送ベルト１３の衛生指標菌としての一般生菌の残存値と運転サイクル数の関係をグラフに示す。
【００５４】
図５では、実施例１に本実施形態のベルト清掃除菌装置２０により４段階の工程を経て清掃した結果を示す。実施例１では、アルコール液剤として、エタノールを３１％含有するとともに主成分としてショ糖脂肪酸エステルを使用した液剤を用いた場合を示す。
【００５５】
さらに、比較例１、２として、拭取工程を経ない場合の一般生菌残存値を示す。比較例１ではアルコール液剤としてエタノールを３１％含有するとともに主成分としてショ糖脂肪酸エステルを使用した液剤を用いた。比較例２では、アルコール液剤としてエタノールを５０ｗｔ％含有するとともに主成分としてＤＬリンゴ酸、グリセリン脂肪酸エステルを使用した液剤を用いた。
【００５６】
図５によれば、本実施形態にかかるベルト清掃除菌装置２０及びベルト清掃除菌方法により清掃した実施例１では３回運転以後一般生菌が確実に除去されていることが認められる。一方、拭取工程を経ない比較例１、２では３回運転しても一般生菌の残存が確認される。
【００５７】
本実施形態にかかるベルト清掃除菌装置２０によれば、以下のような効果が得られる。すなわち、流体供給部３０、削り部４０、及び拭取部５０による複数段階の清掃工程により、高い清掃能力と除菌効果を得ることができる。
【００５８】
また、上流側と下流側にそれぞれ設けた第１スクレーパ４３と第２スクレーパ４５の角度を変化させたことにより、様々な種類の汚染物を確実に除去することが出来る。
【００５９】
さらに、押圧ローラ２３を上下方向において移動可能とするとともに傾斜可能に載置する構成としたことにより、搬送ベルト１３にかかる負荷を一定に保つことができる。したがって、容易に所望の削り力を得ることができる。また、汚染物や搬送ベルト１３の表面の形状に変化があっても、力がかかりすぎることが防止できるため、搬送ベルト１３、スクレーパ４３，４５、当接ローラ５２の損傷を防ぐことができる。
【００６０】
さらに、当接部４３ｂ，４５ｂ，５４ａの上流側と下流側に押圧ローラ２３を載置する構成であるため、搬送ベルト１３が変形可能であり、スクレーパ４３，４５と当接ローラ５２に沿った形状とすることができる。また、この構成により、当接部５４ａの長さ寸法を所望の値を確保できる。すなわち、例えば固定されたローラとスクレーパとが対向して搬送ベルトを挟む構成では、当接面の面積を確保することが難しく、清掃能力の向上が困難となるが、本実施形態によれば、上記構成により容易に清掃能力及び除菌能力を高めることが出来る。
【００６１】
さらに、各部を着脱可能としたことにより既存のコンベア装置１０に容易に適用することができる。
【００６２】
また、押圧ローラ２３をガイド溝２４ａに嵌めるだけの簡単な構成であるため、環境に応じてローラの重さを変更することにより負荷を調節することができる。したがって、様々なコンベア装置に適用することが出来る。例えば粘度の高い食材を搬送対象物１７とする場合には押圧ローラ２３を重く、薄い搬送ベルト１３を用いる場合には軽く設定することにより、容易に負荷を調整できる。
【００６３】
さらに、当接部から搬送方向にずれた位置に押圧ローラ２３を載置することで、摩擦による負荷がかかりすぎるのを防止することが出来る。すなわち、両側に押圧ローラを置いただけの単純な構成で、除菌効果を向上することが可能である。
【００６４】
また、このような配置により、拭取部５０における当接部５４ａを大きく取ることが出来、拭取工程の性能を高めることが出来る。
【００６５】
さらに、複数の押圧ローラ２３の自重のみにより押圧して適度な張力を付与する構成としたため、搬送ベルト１３の下面に対して異なる作用をする複数の要素を均等に作用させることが出来る。
【００６６】
なお、本発明は上記実施形態そのままに限定されるものではなく、実施段階ではその要旨を逸脱しない範囲で構成要素を変形して具体化できる。
【００６７】
例えば、他の実施形態として、図６及び図７に示すように、削り部４０と収集部６０と支持フレーム２４とを一体に構成したベルト清掃除菌装置１００を示す。図６はベルト清掃除菌装置１００の装着状態を示し、図７は脱着状態を示す。
【００６８】
この実施形態にかかるベルト清掃除菌装置１００では、支持フレーム２４と収集部６０をそれぞれ設ける代わりに、図６に示すように、搬送ベルト１３の下方に底壁を有する支持ボックス７０が、削り部４０と一体に設置されている。
【００６９】
支持ボックス７０は、幅方向両側の側壁と、搬送方向における側壁と、搬送ベルト１３及び削り部４０の下方に配置される底壁と、を有する箱形状に構成され、収集部として機能する。
【００７０】
支持ボックス７０は、例えば塩化ビニル等の透明の材質で構成され、図示しないエアシリンダ等の機構によって昇降移動可能に構成されている。
【００７１】
支持ボックス７０の幅方向両脇に配される側壁の上部には、上下方向に延びるガイド溝７０ａが形成されている。このガイド溝７０ａに押圧ローラ２３のＹ方向両端の軸部分が支持される。
【００７２】
さらに、支持ボックス７０を取り外した脱着状態において押圧ローラ２３のＹ方向両端の軸部分を支持するローラ支持部７１が、支持フレーム７２に支持されて設けられている。ローラ支持部７１の支持面は、ガイド溝７０ａよりも僅かに下方に位置している。
【００７３】
拭取部５０に配される２つの押圧ローラ２３のＹ方向両端の軸部分が連結部７３で連結された状態で当接ローラ５２を跨ぐように、搬送ベルト１３上に載置されている。連結部７３はフック７４により支持フレーム７２に着脱可能に取り付けられている。この構成により、押圧ローラ２３の自重により、２つの押圧ローラ２３が上下動及び傾斜可能な状態で搬送ベルト１３上に支持される。
【００７４】
削り部４０を取り外す場合には、図７に示すように、削り部４０を支持ボックス７０とともに下降させることにより、取り外すことが可能である。削り部４０を取り外した脱着状態では、押圧ローラ２３は、ローラ支持部７１に載置された状態で取り外し可能に支持される。また、拭取部５０は、連結フック７４を支持フレーム７２から取り外すことにより着脱可能になっている。
【００７５】
なお、この他の構成及び動作は上記第１実施形態と同様であるため、共通する説明を省略する。
【００７６】
なお、本発明は上記各実施形態に限られるものではなく、各部材の構成、形状、材質等を適宜変更して実施可能である。また、上記各実施形態に開示されている複数の構成要素の適宜な組み合わせにより、種々の発明を形成できる。例えば、実施形態に示される全構成要素から幾つかの構成要素を削除してもよい。
【符号の説明】
【００７７】
１０…コンベア装置、１１．１２…搬送ローラ、１３…搬送ベルト、１４…往路、
１５…復路、１７ａ…汚染物、１７…搬送対象物、２０、１００…ベルト清掃除菌装置、２１…清掃ユニット、２２…支持部、２３…押圧ローラ、２３ａ…係合部、
２４…支持フレーム、２４ａ…ガイド溝、３０…流体供給部、３１…タンク部、
３２…ホース部、３３…ノズル、４０…削り部、４１…第１削り部、
４３…第１スクレーパ、４４…第１ガイドプレート、４５…第２スクレーパ、
４６…第２ガイドプレート、５０…拭取部、５１…供給ローラ、５２…当接ローラ、
５３…巻取りローラ、５４…拭取ベルト（拭取材）、６０…収集部、７０…支持ボックス、７０ａ…ガイド溝、７２…支持フレーム。
【図１】
2010222081.tif 000003
【図２】
2010222081.tif 000004
【図３】
2010222081.tif 000005
【図４】
2010222081.tif 000006
【図５】
2010222081.tif 000007
【図６】
2010222081.tif 000008
【図７】
2010222081.tif 000009